(57)【要約】【課題】断熱性及び保温性の高い繊維生地製手袋及び繊維製靴下を提供する。【解決手段】指袋を含む繊維生地製の断熱性手袋２０であって、指袋は先端から内部に折り込まれ、先端部２４が手首から上乃至前記指袋の付け根より下の位置で前記繊維生地に内側から固定されており、手袋の表面又は裏面のいずれか一方が三重の繊維生地２１であり、他方が一重の繊維生地２３である。本発明の断熱性靴下は、先端から内部に折り込まれ、先端部が踵部又は足の甲部のいずれかの位置で前記繊維生地に内側から固定されており、前記靴下の表面又は裏面のいずれか一方が三重の繊維生地であり、他方が一重の繊維生地である。【選択図】図５
2018087397.tif 000002
【特許請求の範囲】
【請求項１】
指袋を含む繊維生地製の断熱性手袋であって、
前記指袋は先端から内部に折り込まれ、先端部が手首から上乃至前記指袋の付け根より下の位置で前記繊維生地に内側から固定されており、
前記手袋の表面又は裏面のいずれか一方が三重の繊維生地であり、他方が一重の繊維生地であることを特徴とする断熱性手袋。
【請求項２】
前記手袋は、さらに掌部が上に向かって２つ折りされ、前記２つ折りの先端が前記指袋の付け根より下の位置で繊維生地に内側から固定されている請求項１に記載の断熱性手袋。
【請求項３】
前記手袋は、さらに手首部が上に向かって２つ折りされ、前記２つ折りの先端が親指袋の付け根付近で繊維生地に内側から固定されている請求項１又は２に記載の断熱性手袋。
【請求項４】
前記指袋が先端から内部に折り込まれた部分、前記掌部を上に向けて２つ折りした部分及び手首部を上に向けて２つ折りした部分から選ばれる少なくとも１つには内部に断熱シートが挿入されている請求項１〜３のいずれかに記載の断熱性手袋。
【請求項５】
前記繊維生地は編み物である請求項１〜４のいずれかに記載の断熱性手袋。
【請求項６】
前記断熱性手袋は、セルロース繊維、ウール、ポリエステル繊維、ポリプロピレン繊維、ポリアミド繊維、アクリル繊維、アラミド繊維、ポリベンズイミダゾール繊維、ポリベンズオキサゾール繊維、ポリベンズチアゾール繊維、ポリアミドイミド繊維、メラミン繊維、ポリイミド繊維、ポリアリレート繊維及びポリフェニレンスルフィド繊維から選ばれる少なくとも一つの繊維で構成されている請求項１〜５のいずれかに記載の断熱性手袋。
【請求項７】
前記繊維生地を構成する糸は、意匠撚糸である請求項１〜６のいずれかに記載の断熱性手袋。
【請求項８】
繊維生地製の断熱性靴下であって、
前記靴下は先端から内部に折り込まれ、先端部が踵部又は足の甲部のいずれかの位置で前記繊維生地に内側から固定されており、
前記靴下の表面又は裏面のいずれか一方が三重の繊維生地であり、他方が一重の繊維生地であることを特徴とする断熱性靴下。
【請求項９】
前記靴下の表面又は裏面のいずれか一方が三重の繊維生地になっている内部に断熱シートが挿入されている請求項８に記載の断熱性靴下。
【請求項１０】
前記繊維生地は編み物である請求項８又は９に記載の断熱性靴下。
【請求項１１】
前記断熱性靴下は、セルロース繊維、ウール、ポリエステル繊維、ポリプロピレン繊維、ポリアミド繊維、アクリル繊維、アラミド繊維、ポリベンズイミダゾール繊維、ポリベンズオキサゾール繊維、ポリベンズチアゾール繊維、ポリアミドイミド繊維、メラミン繊維、ポリイミド繊維、ポリアリレート繊維及びポリフェニレンスルフィド繊維から選ばれる少なくとも一つの繊維で構成されている請求項８〜１０のいずれかに記載の断熱性靴下。
【請求項１２】
前記断熱性靴下の繊維生地を構成する糸は、意匠撚糸である請求項８〜１１のいずれかに記載の断熱性靴下。
【発明の詳細な説明】
【技術分野】
【０００１】
本発明は、繊維生地製の断熱性手袋及び断熱性靴下に関する。
【背景技術】
【０００２】
アーク溶接などの溶接作業、溶鉱炉などの炉前作業、加熱調理などの高熱物体を扱う作業には、安全の面から耐熱手袋が必要である。熱的に過酷な作業における耐熱手袋の材料は、一般的に動物の皮を使用している。本出願人らは、アラミド繊維、ポリベンズイミダゾール繊維、ポリベンズオキサゾール繊維、ポリベンズアゾール繊維、ポリアミドイミド繊維、メラミン繊維及びポリイミド繊維などの耐熱性繊維を含む意匠撚糸を用いて耐熱手袋を作成することを提案した（特許文献１）。また特許文献２には、アラミド繊維糸単体を用いて手袋を編成し、手のひら部分に合成樹脂を加熱融着することが提案されている。さらに特許文献３には、二重構造の繊維生地製靴下が提案されている。
【先行技術文献】
【特許文献】
【０００３】
【特許文献１】特開２００７−０２３４６３号公報
【特許文献２】実用新案登録第３０４８６３３号
【特許文献３】特開平１１−３２３６０８号公報
【発明の概要】
【発明が解決しようとする課題】
【０００４】
しかし、従来の手袋及び靴下は、断熱性及び保温性に問題があり、さらに高い断熱性が求められている。
【０００５】
本発明は、前記従来の問題を解決するため、断熱性及び保温性の高い繊維生地製手袋及び繊維製靴下を提供する。
【課題を解決するための手段】
【０００６】
本発明の断熱手袋は、指袋を含む繊維生地製の断熱性手袋であって、前記指袋は先端から内部に折り込まれ、先端部が手首から上乃至前記指袋の付け根より下の位置で前記繊維生地に内側から固定されており、前記手袋の表面又は裏面のいずれか一方が三重の繊維生地であり、他方が一重の繊維生地であることを特徴とする。
【０００７】
本発明の断熱性靴下は、繊維生地製の断熱性靴下であって、前記靴下は先端から内部に折り込まれ、先端部が踵部又は足の甲部のいずれかの位置で前記繊維生地に内側から固定されており、前記靴下の表面又は裏面のいずれか一方が三重の繊維生地であり、他方が一重の繊維生地であることを特徴とする。
【発明の効果】
【０００８】
本発明の断熱性手袋は、手袋の表面又は裏面のいずれか一方が三重の繊維生地であり、他方が一重の繊維生地であることにより、前記三重の繊維生地部分で断熱性及び保温性を発揮できる。すなわち、外部からの熱に対しては前記三重の繊維生地部分を甲部側に配置して熱遮断でき、熱いものを握るときには前記三重の繊維生地部分を掌側に配置して熱遮断できる。前記熱は、寒さや冷たいものに置き換えても同じである。また本発明の断熱性靴下は、表面又は裏面のいずれか一方が三重の繊維生地であり、他方が一重の繊維生地であることにより、前記三重の繊維生地部分で断熱性を発揮できる。そして、前記手袋及び靴下の一重の繊維生地部分は、手や足の動作機能を良好に保持できる。
【図面の簡単な説明】
【０００９】
【図１】図１は本発明の一実施形態の編み物製の断熱手袋の折り込まれる前の状態を示す裏面図である。
【図２】図２は同、折り込んだ後の状態を示す裏面図である。
【図３】図３は図２のＩ−Ｉ線断面図である。
【図４】図４は本発明の別の実施形態の編み物製の断熱手袋の折り込まれる前の状態を示す裏面図である。
【図５】図５は図４の断熱手袋を折り込んだ後の状態を示す断面図である。
【図６】図６は本発明の一実施形態の編み物製の断熱靴下の折り込まれる前の状態を示す裏面図である。
【図７】図７は図６の断熱靴下の先端を内側に向けて折り込み、上側（甲側）で固定した後の状態を示す断面図である。
【図８】図８は図６の断熱靴下の先端を内側に向けて折り込み、下側（足裏側）で固定した後の状態を示す断面図である。
【図９】図９は図８の断熱靴下の下側（足裏側）の三重になった部分に断熱シートを挿入した状態を示す断面図である。
【発明を実施するための形態】
【００１０】
本発明の繊維生地製の断熱手袋は、指袋の先端から内部に折り込まれ、先端部は手首から上乃至前記指袋の付け根より下の位置で繊維生地に内側から固定されており、指を挿入した時、指の掌部又は甲部のいずれか一方が三重の繊維生地となり、他方が一重の繊維生地となる。これにより、外部からの熱に対しては前記三重の繊維生地部分を甲部側に配置して着用することにより熱遮断できる。また熱いものを握るときには前記三重の繊維生地部分を掌側に配置して着用することにより熱遮断できる。前記熱は、寒さや冷たいものに置き換えても同じである。前記三重の繊維生地部分は繊維生地の組織内に多くの空気を含み、空気は断熱性が高いため断熱性が高くなる。前記三重の繊維生地部分を掌側に配置するか、あるいは甲部側に配置するかは、着用する際に右手に着用するか左手に着用することにより選択できる。前記熱遮断部は指の掌側又は甲部側の熱遮断に有効である。
【００１１】
前記手袋は、さらに掌部が上に向かって２つ折りされ、前記２つ折りの先端が前記指袋の付け根より下の位置で繊維生地に内側から固定されていてもよい。これにより、２つ折りした部分で断熱性を高くすることができる。前記熱遮断部は掌と甲部の上部の熱遮断に有効である。
【００１２】
前記手袋は、さらに手首部が上に向かって２つ折りされ、前記２つ折りの先端が親指袋の付け根付近で繊維生地に内側から固定されていてもよい。これにより、２つ折りした部分で断熱性を高くすることができる。前記熱遮断部は掌と甲部の下部の熱遮断に有効である。
【００１３】
前記指袋が先端から内部に折り込まれた部分、前記掌部を上に向けて２つ折りした部分及び手首部を上に向けて２つ折りした部分から選ばれる少なくとも１つには内部に断熱シートを挿入してもよい。断熱シートとしては、不織布、皮革、樹脂、金属、セラミックス、織物、編み物、雲母やシリカ繊維等の無機物シート等を使用できる。これによりさらに断熱性を高くできる。前記指袋が先端から内部に折り込まれた部分にはヒーター線や信号線も挿入できる。ヒーター線は寒さに対して有効である。信号線は、例えばカーナビ、音楽の選択、ゲーム、或いはこれらの切り替え等に有効である。
【００１４】
本発明の断熱性靴下は、繊維生地製であり、先端から内部に折り込まれ、先端部が踵部又は足の甲部のいずれかの位置で前記繊維生地に内側から固定されており、前記靴下の表面又は裏面のいずれか一方が三重の繊維生地であり、他方が一重の繊維生地である。三重の繊維生地部分を甲（ソール）側に配置すると、足の上面からの熱を遮断でき、寒いときは保温効果が高い。三重の繊維生地部分を足裏側に配置すると、足裏面からの熱を遮断でき、寒いときは保温効果が高い。足裏面からの熱は、例えば夏の日射下、建設現場における金属やコンクリート表面は高温になる場合があり、このような場所で作業する際の断熱に有効である。
【００１５】
前記靴下の表面又は裏面のいずれか一方が三重の繊維生地になっている内部に断熱シートを挿入してもよい。足裏面の繊維生地を三重にした場合は、内部空間にインナーソール型の断熱シートを挿入できる。断熱シートの素材は、前記手袋で説明したものと同様のものを使用できる。インナーソール型の断熱シートを金属製又は樹脂製にした場合は、釘踏み防止機能も発揮できる。
【００１６】
前記断熱性生地の繊維生地は編み物であるのが好ましい。編み物は伸びがあるので、各折り返し部を内部からミシン縫製により固定するのに都合がよい。また編み物の手袋又は靴下は、右用でも左用でも切り替えて着用できる。そのうえ、洗濯もできる。
【００１７】
前記繊維生地は、木綿、麻などのセルロース繊維、ウール、ポリエステル繊維、ポリプロピレン繊維、ポリアミド繊維、アクリル繊維、アラミド繊維、ポリベンズイミダゾール繊維、ポリベンズオキサゾール繊維、ポリベンズチアゾール繊維、ポリアミドイミド繊維、メラミン繊維、ポリイミド繊維、ポリアリレート繊維及びポリフェニレンスルフィド繊維から選ばれる少なくとも一つの繊維で構成されているのが好ましい。このうち、熱さに対してはアラミド繊維、ポリベンズイミダゾール繊維、ポリベンズオキサゾール繊維、ポリベンズチアゾール繊維、ポリアミドイミド繊維、メラミン繊維、ポリイミド繊維、ポリアリレート繊維、ポリフェニレンスルフィド繊維等の耐熱繊維が好ましく、寒さに対しては木綿、ウール、ポリエステル繊維、ポリプロピレン繊維、ポリアミド繊維、アクリル繊維等の通常繊維が好ましい。
【００１８】
本発明において耐熱性繊維は、融点又は分解点が約３５０℃以上、好ましくは４００℃以上であれば、無機繊維又は有機繊維のいかなるものであってもよい。好ましくはアラミド繊維（パラ系アラミドの融点又は分解点：４８０〜５７０℃、メタ系同：４００〜４３０℃）、ポリベンズイミダゾール繊維（ガラス転移温度：４００℃以上、熱分解温度６００℃超）、ポリベンズオキサゾール繊維（融点又は分解温度：６５０℃）、ポリベンズチアゾール繊維（融点又は分解温度：６５０℃）、ポリアミドイミド繊維（融点又は分解温度：３５０℃以上）、メラミン繊維（融点又は分解温度：４００℃以上）、ポリイミド繊維（融点又は分解温度：３５０℃以上）、ポリアリレート繊維（融点又は分解温度：４００℃以上）及びポリフェニレンスルフィド繊維（融点：約２８０℃）などが好ましい。これらの繊維は編物に加工しやすい。繊度は１１８〜５９０５ｄｔｅｘ（綿番手：０．５〜５０番）程度が好ましい。単糸で使用することもできるし、複数本引き揃えるか、あるいは合撚して使用できる。
【００１９】
本発明においては、前記特許文献１に記載の意匠撚糸を使用してもよい。意匠撚糸は、一例として芯糸とループヤーン（花糸）と押さえ糸で構成され、ループヤーン（花糸）は木綿、レーヨン、麻、羊毛及びアクリル繊維から選ばれる少なくとも一つであることが好ましい。芯糸と押さえ糸は例えばポリエステルフィラメント糸を使用できる。耐熱性繊維糸は、芯糸、ループヤーン（花糸）、押さえ糸のいずれにも使用できる。芯糸に対してループヤーンは２〜６倍オーバーフィードして作成すると、芯糸の周囲にあらゆる方向にランダムにループが形成できる。意匠撚糸の繊度は１１８〜１１８１１ｄｔｅｘ（綿番手：０．５〜５０番）程度が好ましい。単糸で使用することもできるし、複数本引き揃えるか、あるいは合撚して使用できる。
【００２０】
前記繊維性生地は、多層構造にし、一方の面に耐熱性繊維糸を多く存在させ、他方の面に意匠撚糸を多く存在させるようにして編物を形成してもよい。このような編物の組織としては、ダブルニット、ダブルジャージ、両面編地、ダブルラッシェル、二重編物、シングルジャージ及びスムース編物から選ばれる少なくとも一つの組織がある。
【００２１】
前記のような組織においては、ループヤーンの一部のループが、耐熱性繊維糸のリッチな面に突出することがあるので、この場合は外表面に現れるループをカットしてカットパイルとするのが好ましい。このようにすると耐熱手袋を作業手袋として使用した場合、ループが機械部品等に引っ掛かることがなく、作業の安全性が高くなる。
【００２２】
本発明の断熱手袋の厚さは０．３ｍｍ以上３ｍｍ以下が好ましく、さらに０．５ｍｍ以上２ｍｍ以下が好ましい。前記断熱手袋の単位面積あたりの重量は０．０９ｇ／ｃｍ2以上であることが好ましく、さらに０．１ｇ／ｃｍ2以上が好ましい。厚さ及び単位面積あたりの重量が前記の範囲であると、熱遮断性に加えて耐燃焼性も向上する。
【００２３】
本発明の断熱手袋は、例えば高温又は低温物質を扱う作業手袋、アーク溶接などの溶接作業、溶鉱炉などの炉前作業用手袋、加熱調理などの高熱物体を扱う作業用手袋、登山等のスポーツ用手袋などに有用である。
【００２４】
以下図面を用いて説明する。以下の図面において同一符号は同一物を示す。図１は本発明の一実施形態の編み物製の断熱手袋の折り込まれる前の状態を示す裏面図である。この手袋１の長さは６６０ｍｍあり、通常の手袋の長さより２〜３倍長い。指袋は５本指としたが、２本指（ミトン）、３本指等でもよい。薬指の長さは２００ｍｍである。指袋のみを折り返して固定するのであれば、指袋のみを通常の手袋の２．１〜２．３倍程度の長さにしておく。通常の手袋の２倍よりやや長いのは、折り返し部のり長さが必要なのと、指袋の付け根より下の位置で繊維生地に内側から固定するためである。
【００２５】
図２は同、折り込まれた後の状態を示す裏面図、図３は図２のＩ−Ｉ線断面図である。折り込まれた後の断熱手袋２は、指袋の先端部４ａ−４ｅが中に折り込まれ、この先端部は指袋の付け根より下の位置で繊維生地に内側から縫製により固定されている。５ａ−５ｅは縫製による固定部である。これにより、中央に穴部６ａ−６ｅを有する指袋３ａ−３ｅが形成されるが、指１６を挿入すると、図３に示すように、指１６の掌部又は甲部のいずれか一方が三重の繊維生地となり、他方が一重の繊維生地となる。三重の繊維生地部分は一重の繊維生地に比べて３倍以上の断熱性を有する。加えて、中央の穴部６ａ−６ｅに断熱シートを挿入すれば、さらに断熱性は高くなる。
【００２６】
この断熱手袋２は、さらに手の甲部の上部７と掌部の上部を上に向けて２つ折りし、前記２つ折りの先端を指袋の付け根より下の位置で繊維生地に内側から縫製により固定すると、手の甲部の上部と掌部上部の断熱性を高くすることができる。８は手の甲部の上部７を上に向けて２つ折りした部分である。９ａ−９ｃ、１０ａ−１０ｃは縫製による固定部である。手の甲部の上部７と２つ折りした部分８の間には空間ができるので、この空間に断熱シートを挿入すれば、さらに断熱性は高くなる。
【００２７】
この断熱手袋２は、さらに手首部１５を上に向かって２つ折りし、前記２つ折りの先端を親指袋３ａの付け根付近で繊維生地に内側から固定すると、掌部の断熱性を高くすることができる。１２は手の甲部の下部１１を上に向けて２つ折りした部分である。１３ａ−１３ｄ、１４ａ−１４ｃは縫製による固定部である。２つ折りした部分１２と手の甲部の下部１１の間には空間ができるので、この空間に断熱シートを挿入すれば、さらに断熱性は高くなる。１５はゴム編み部の手首部である。
【００２８】
図４は本発明の別の実施形態の編み物製の断熱手袋の折り込まれる前の状態を示す裏面図である。この手袋２０は、通常の手袋に比べて各指袋が約３倍長く形成されている。この手袋２０の各指袋を内側に折り込んで先端を内側から縫製により固定したのが図５に示す断面図である。固定部２４は、手袋の内側から外側に向けてミシン縫製で行うのが好ましい。これにより、手の甲側が三重生地部分２１となり、掌側は一重生地部分２３となる。三重生地部分２１は断熱又は保温効果があり、一重生地部分２３は動作機能を保持できる。三重生地部分２１の空間部２２には断熱シートを挿入できる。２５はゴム編み部の手首部である。三重生地部分２１を掌側にすることもできる。
【００２９】
図６は本発明の一実施形態の編み物製の断熱靴下の折り込まれる前の状態を示す裏面図である。この靴下２６は、足袋部分が通常の靴下の約３倍長い。足袋２７,２９の中間部にはくびれ部２８があり、この部分まで折り込むと、指先部分が細くなり、足指にフィットするようになる。３０は踵部、３１は足首部である。足袋２７の先端部は踵部３０と同じ形状にしておくと、足袋２７の先端部を踵部３０まで折り込んだ時に一致しやすい。
【００３０】
この靴下の先端部を内側に向けて折り込み、上側（甲側）で固定した後の状態を示す断面図を図７に示す。固定部３２は、靴下の内側から外側に向けてミシン縫製で行うのが好ましい。これにより、足の上側（甲側）が三重生地となり、断熱又は保温に効果的となる。三重生地部分には断熱シートを挿入してもよい。足裏側は一重生地であるので、足の動作機能を良好に保持できる。
【００３１】
図８は図６の断熱靴下の先端部を内側に向けて折り込み、下側（足裏側）で固定した後の状態を示す断面図である。固定部３３は、靴下の内側から外側に向けてミシン縫製で行うのが好ましい。これにより、足の足裏側が三重生地となり、断熱又は保温に効果的となる。また、図９に示すように、下側（足裏側）の三重になった部分に断熱シート３４を挿入することもできる。金属製又は樹脂製インナーソールを挿入すると、釘踏み防止機能も発揮できる。
【実施例】
【００３２】
以下実施例を用いて、さらに本発明を具体的に説明する。
【００３３】
（実施例１）
通常の軍手と言われている手袋に使用する、木綿番手１０番の綿糸（コットン糸）の紡績糸（繊度５９０decitex）を単糸で５本使用し、島精機社製の全自動手袋編み機を使用して図１に示すニット手袋を編成した。この手袋の薬指の先端から手首部の裾までの長さは静置状態で６６０ｍｍ、薬指の先端から付け根までの長さは２００ｍｍ、重さは片方９５ｇであった。この手袋を図２及び図３に示すように折り込み、内部から外に向けてそれぞれの折り込み部の先を縫製ミシンにより固定した。このようにして得られた断熱手袋は図２及び図３に示すとおりであり、指部については片側の断熱又は保温効果が高く、掌部と手の甲部は両側の断熱又は保温効果が高いことが確認できた。
【００３４】
（実施例２）
（１）意匠撚糸の製造
芯糸及び押さえ糸としてポリエステルマルチフィラメント加工糸（東レ製）、トータル繊度８３ｄｔｅｘ（７５デニール）、フィラメント数４８本を使用し、ループヤーンとして木綿糸１９６．９ｄｔｅｘ（綿番手：３０番）を使用した。木綿糸の単糸を３本使用し、芯糸１本に対してオーバーフィード率５〜７倍で供給して絡み付け、絡みつけと同時にその上から押さえ糸を撚り数約１０００回／ｍで実撚を掛けた。得られた意匠撚糸のループの平均突出長さ３ｍｍ、１インチあたり平均７０個のループが３６０°の角度で様々な角度に突出していた。この意匠撚糸の繊度は２５１１ｄｔｅｘ（綿番手：２．３５３０番、２２６０デニール）であった。
（２）耐熱性繊維糸の準備
市販の帝人社製商品名“コーネックス”（メタ系アラミド繊維）の紡績糸２９５．３ｄｔｅｘ（綿番手：２０番）を８本又は９本使用した。
（３）手袋の編成
島精機社製の全自動手袋編み機を使用してニット手袋に編成した。耐熱性繊維糸を６０重量％、意匠撚糸を４０重量％の割合で編成した。編み物構造は両面編みである。耐熱性繊維糸は表面側（外気側）に配置され、意匠撚糸は裏面側（人体側）に配置され、ループは裏面側に主として存在しているが、一部は表面側にも露出していた。得られた手袋の片方の重量は９５ｇであった。
（４）耐熱性試験
得られた耐熱作業軍手を手にはめてライターの火を当てたところ、表面はうっすらと焦げるが内部に熱は感じなかった。このことから難燃性と耐熱性を確認できた。
また、アーク溶接作業に使用したところ、熱さは感じず、溶接の火花（約１２００℃）がかかっても熱くなく、薄くて作業動作を損なうことがなく、通気性もあり、作業性はきわめて良かった。作業後の洗濯もすることができ、繰り返し使用ができた。
また、燃焼炉でピザパイを焼く加熱調理作業に使用したところ、同様に断熱性が高く、耐熱性、防炎性、難燃性、通気性があり、作業性も良好で、洗濯もできることから、衛生性も良好であった。
【００３５】
（実施例３）
綿番手１０番の木綿糸（コットン糸）の紡績糸（繊度５９０decitex）を単糸で５本使用し、島精機社製の全自動手袋編み機を使用して図４に示すニット手袋を編成した。この手袋の薬指の先端から手首部の裾までの長さは静置状態で４２０ｍｍ、薬指の先端から付け根までの長さは３００ｍｍ、重さは片方８５ｇであった。この手袋の各指袋を図５に示すように折り込み、内部から外に向けてそれぞれの折り込み部の先を縫製ミシンにより固定した。このようにして得られた断熱手袋は、指部を含めた甲側全体の断熱又は保温効果が高く、掌部側は作業などの動作機能が保持されていた。
【００３６】
（実施例４）
綿番手３０番の木綿糸（コットン糸）の紡績糸双糸（単糸で１５番相当）を２本、ナイロン７７．８decitex双糸（１５５．６decitex）を１本使用し、島精機社製の全自動手袋編み機を使用して図６に示すニット靴下を編成した。この靴下の足袋の先端から踵部の裾までの長さは静置状態で３８０ｍｍ、全体の長さは５００ｍｍ、足袋部の幅は１１０ｍｍ、重さは片方３８ｇであった。この靴下の指袋を図７に示すように折り込み、内部から外に向けて折り込み部の先を縫製ミシンにより固定した。このようにして得られた断熱靴下は、甲側の断熱又は保温効果が高かった。足裏側は足の動作機能が保持されていた。
【００３７】
（実施例５）
綿番手３０番の木綿糸（コットン糸）の紡績糸双糸（単糸で１５番相当）を２本、ナイロン７７．８decitex双糸（１５５．６decitex）を１本使用し、島精機社製の全自動手袋編み機を使用して図６に示すニット靴下を編成した。この靴下の足袋の先端から踵部の裾までの長さは静置状態で４６０ｍｍ、全体の長さは５８０ｍｍ、足袋部の幅は１１０ｍｍ、重さは片方４３ｇであった。この靴下の指袋を図８に示すように折り込み、内部から外に向けて折り込み部の先を縫製ミシンにより固定した。このようにして得られた断熱靴下は、足裏側の断熱又は保温効果が高かった。足の甲側は動作機能が保持されていた。
【産業上の利用可能性】
【００３８】
本発明の断熱手袋は、例えば高温又は低温物質を扱う作業手袋、アーク溶接などの溶接作業、溶鉱炉などの炉前作業用手袋、加熱調理などの高熱物体を扱う作業用手袋、登山等のスポーツ用手袋などに有用である。また、指袋の穴及び／又は２つ折り部に金属や樹脂（ゲルを含む）を挿入した場合は防刃、防振、挟み込み怪我防止緩衝材入り手袋としても有用である。
また本発明の靴下は、例えば建設現場における作業用靴下として有用であり、断熱性、保温性、釘踏み防止機能も発揮できる。
【符号の説明】
【００３９】
１  折り込まれる前の手袋
２，２０  断熱手袋
３ａ−３ｅ  指袋
４ａ−４ｅ  指袋の先端部
５ａ−５ｅ,９ａ−９ｃ,１０ａ−１０ｃ, １３ａ−１３ｄ,１４ａ−１４ｃ  縫製による固定部
６ａ−６ｅ  穴部
７  手の甲部の上部
８,１２  ２つ折り部
１１  手の甲部の下部
１５，２５  手首部
１６  指
２１  三重生地部分
２２  空間部
２３  一重生地部分
２４，３２，３３  固定部
２６  靴下
２７,２９  足袋
２８  足袋のくびれ部
３０  踵部
３１  足首部
３４  断熱シート
【図１】
2018087397.tif 000003
【図２】
2018087397.tif 000004
【図３】
2018087397.tif 000005
【図４】
2018087397.tif 000006
【図５】
2018087397.tif 000007
【図６】
2018087397.tif 000008
【図７】
2018087397.tif 000009
【図８】
2018087397.tif 000010
【図９】
2018087397.tif 000011